【事件の表示】
　平成　２年特許願第４１１３８７号「画像出力装置」拒絶査定に対する審判事件［平成　４年　８月　７日出願公開、特開平　４−２１７２７２］について、次のとおり審決する。
【結　論】
　本件審判の請求は、成り立たない。
【理　由】
１．出願の経緯・本願発明
　本願は、平成２年１２月１９日の出願であって、その請求項１に係る発明（以下、「本願発明１」という。）乃至その請求項２に係る発明（以下、「本願発明２」という。）は、平成１１年１０月２５日付け、及び平成１２年６月１２日付け手続補正により補正された明細書及び図面の記載からみて、その特許請求の範囲の請求項１乃至請求項２に記載された次のとおりのものである。
【請求項１】　感光体と、該感光体の表面を帯電する帯電チャージャと、該帯電チャージャにより帯電された前記感光体の表面に静電潜像を形成するための光書込ユニットと、該静電潜像を現像して顕像化する現像ユニットと、現像された前記感光体の表面の顕像を転写紙に転写するための転写ユニットと、転写後に感光体表面に残留する顕像材を除去するためのクリーニングユニットと、前記クリーニングユニットで回収される顕像材を収納する顕像材回収容器から成る画像出力装置において、前記顕像材回収容器は、その体積が回収される顕像材が満杯になる時期が前記感光体の寿命と略等しく設定され、かつ、少なくとも該顕像材回収容器と転写紙のガイド部材とが一体的に構成され、この一体構成体を装置に対して着脱可能に構成したことを特徴とする画像出力装置。
【請求項２】　感光体と、該感光体の表面を帯電する帯電チャージャと、該帯電チャージャにより帯電された前記感光体の表面に静電潜像を形成するための光書込ユニットと、該静電潜像を現像して顕像化する現像ユニットと、現像された前記感光体の表面の顕像を転写紙に転写するための転写ユニットと、転写後に感光体の表面に残留する顕像材を除去するためのクリーニングユニットと、該クリーニングユニットで回収される顕像材を収納する顕像材回収容器から成る画像出力装置において、前記顕像材回収容器は、その体積が回収される顕像材が満杯になる時期が前記感光体の寿命と略等しく設定され、かつ、少なくとも前記感光体と該顕像材を回収する容器とが一体的に構成され、しかも、感光体と回収容器との間を転写紙を搬送するように構成し、この一体構成体を装置に対して着脱可能に構成したことを特徴とする画像出力装置。　
　
２．引用例
  これに対して、原査定の拒絶の理由に引用された特開昭６１−９４０８２号公報（以下、「引用例」という。）には、
「第１図は、本発明の静電記録装置の概要構成図である。図において、１は感光体２に光像を投射するための露光用光学系であって、・・中略・・３は帯電装置、４は現像装置であって、帯電、露光により感光体２上に形成された静電潜像は、この現像装置４によってトナー像として可視化される。感光体２上に形成されたトナー像は、・・中略・・転写電極５によって給紙カセット６から給紙される記録紙にトナー像を転写せしめる。トナー像を転写せしめた記録紙は、分離電極７の助けをかりて感光体２から分離されて搬送路１６を通って搬送ローラ８により搬送され、・・中略・・一方、トナー像を転写せしめた感光体２は尚回転を続け、クリーニング装置１１に到り、クリーニングブレード１２により残留トナーが掻き落とされ、クリーニングされる。掻き落とされたトナーは、ガイドローラ１３の回転によりクリーニング装置内に集積するが、集積量が増えるに従って後述するトナー搬送スクリュー１４および１５により記録紙搬送路１６の下側に設けたトナー蓄溜部１７に運ばれ蓄積される。」（第２頁右上欄第４行〜同頁左下欄第１０行）、
「本発明によれば、本発明の静電記録装置においては、感光体、クリーニング装置および前記の現像剤トナーの蓄溜部をユニット化し、かつ装置本体に対して着脱可能に設けたことを特徴とする。」（第２頁左下欄第１４行〜同欄第１７行）、
「第３図は、本発明に係るクリーニング装置と現像剤トナーの蓄溜部の概要構成を示す斜視図である。ブレード１２（第２図参照）により掻き落とされた現像剤トナーは・・中略・・トナー搬送スクリュー１４の回転に従って図中矢印の方向に運ばれ、記録紙（Ｐ）の搬送路１６を横切るように搬送されて該搬送路１６の側壁部に到達した現像剤トナーは、側壁部に沿って落下してトナー搬送スクリュー１５上に散布される。トナー搬送スクリュー１５上に振りかかった現像剤トナーは、・・中略・・蓄溜部１７の底部にほぼ均等になるように蓄積される。・・中略・・また本図からも明らかなように現像剤トナーの蓄溜部１７の上側板は、記録紙（Ｐ）の搬送路１６のガイド板を兼ねている。」（第３頁右上欄第４行〜同頁左下欄第５行）、
　が図面と共に記載されている。
　そして、上記明細書の記載を参酌すると、図面第２〜４図からは、
「感光体２とクリーニング装置１１およびトナー蓄溜部１７を一体的に構成してユニットとし、クリーニング装置１１はトナー搬送スクリュー１４の下方に底板を有し、クリーニング装置１１の底板、トナー蓄溜部１７の上側板及び搬送路１６の側壁部により、該ユニットの略中央部を貫通する記録紙（Ｐ）の搬送用空間を形成すると共に、感光体２とトナー蓄溜部１７との間を記録紙（Ｐ）を搬送するように構成したユニット」が把握され、
　しかもクリーニング装置１１の底板とトナー蓄溜部１７の上側板とは、各々クリーニング装置１１およびトナー蓄溜部１７に一体的に設けられる構成であり、かつ、クリーニング装置１１の底板は、トナー蓄溜部１７の上側板と同様に記録紙（Ｐ）の搬送路１６のガイド板を兼ねる構成として理解される。
　加えて、帯電装置３が感光体２の表面を帯電するものであること、光像を投射するための露光用光学系１が感光体２の表面に静電潜像を形成するためのものであること、現像装置４が静電潜像を現像してトナー像として可視化するものであることは、各々自明な事項であるから、
　これらを総合すると、引用例には
「感光体と、該感光体の表面を帯電する帯電装置と、該帯電装置により帯電された前記感光体の表面に静電潜像を形成するための露光用光学系と、該静電潜像を現像して可視化する現像装置と、現像された前記感光体表面のトナー像を記録紙に転写するための転写電極と、トナー像を転写せしめた感光体に残留するトナーを掻き落とすためのクリーニング装置と、前記クリーニング装置で集積されて運ばれるトナーを蓄積するトナー蓄溜部から成る静電記録装置において、前記感光体とクリーニング装置およびトナー蓄溜部を一体的に構成してユニットとすると共に、このユニットを構成するクリーニング装置は記録紙のガイド板を兼ねる底板を、トナー蓄溜部は記録紙のガイド板を兼ねる上側板を各々一体的に有し、しかも、感光体とトナー蓄溜部との間を記録紙を搬送するように構成し、このユニットを静電記録装置に対して着脱可能に設けた静電記録装置」、
　が記載されていると認められる。
　
３．対比・判断
　まず、本願発明１と引用例に記載されたものと対比するに、
　引用例の感光体、帯電装置、静電潜像、露光用光学系、現像装置、トナー像、記録紙、転写電極、トナー、クリーニング装置、トナー蓄溜部、静電記録装置、ユニットは、各々本願発明１の感光体、帯電チャージャ、静電潜像、光書込ユニット、現像ユニット、顕像、転写紙、転写ユニット、顕像材、クリーニングユニット、顕像材回収容器、画像出力装置、一体構成体に相当し、
　しかも、引用例における「感光体とクリーニング装置およびトナー蓄溜部を一体的に構成してユニットとすると共に、このユニットを構成するクリーニング装置は記録紙のガイド板を兼ねる底板を、トナー蓄溜部は記録紙のガイド板を兼ねる上側板を各々一体的に有し」の構成は、「少なくとも記録紙のガイド板を兼ねる板がトナー蓄溜部と一体的に構成され」る事項を包含するものであり、
　この事項は、本願発明１の構成である「少なくとも該顕像材回収容器と転写紙のガイド部材とが一体的に構成され」に相当する構成として理解される。
　してみると、両者は表現は相違するが、
「感光体と、該感光体の表面を帯電する帯電チャージャと、該帯電チャージャにより帯電された前記感光体の表面に静電潜像を形成するための光書込ユニットと、該静電潜像を現像して顕像化する現像ユニットと、現像された前記感光体の表面の顕像を転写紙に転写するための転写ユニットと、転写後に感光体表面に残留する顕像材を除去するためのクリーニングユニットと、前記クリーニングユニットで回収される顕像材を収納する顕像材回収容器から成る画像出力装置において、少なくとも該顕像材回収容器と転写紙のガイド部材とが一体的に構成され、この一体構成体を装置に対して着脱可能に構成した画像出力装置」の点で一致しており、以下の点で相違が認められる。
（相違点）
　本願発明１は「顕像材回収容器は、その体積が回収される顕像材が満杯になる時期が感光体の寿命と略等しく設定され、」を構成としているのに対し、引用例には、顕像材回収容器に相当するトナー蓄溜部の体積について明示されていない点。
　そこで、上記相違点について検討するに、
　電子写真装置において、装置本体に対して着脱可能であるクリーニング装置の廃トナー容器の容量として、廃トナーで満杯となる期間が像担持体の寿命期間と同等以上となるように設定することは、例えば、実願昭６０−１１９５２５号（実開昭６２−２７３４９号）のマイクロフィルムに、感光体ドラムや感光体ドラム上に残留したトナーを除去するクリーニング装置等を一体的にユニット化した画像形成ユニットを用いる画像形成装置において、クリーニング装置の廃トナー容器の容量を、感光ドラムの寿命に対応させて予め設定し、コピーキットの交換の際一緒に廃トナーも廃棄する旨の事項が、また、特開昭２−２０１４５５号公報に、転写部や現像ユニット等が保持された本体に、像担持体が回転自在に保持された支持体を着脱自在に装着し、廃トナーで満杯となる期間が前記像担持体の寿命期間と同等以上となる収容容量をもつ廃トナー収容部を有するクリーニング装置を前記支持体に設ける旨の事項が記載されているように周知技術であり、
　引用例に上記電子写真装置に関する周知技術を適用して上記相違点の構成を想到することに何等困難性は認められない。
　また、本願発明１の奏する作用効果として、上記引用例及び周知手段から予測される以上のものは認められない。
　
　次に、本願発明２と引用例に記載されたものと対比するに、
　引用例の感光体、帯電装置、静電潜像、露光用光学系、現像装置、トナー像、記録紙、転写電極、トナー、クリーニング装置、トナー蓄溜部、静電記録装置、ユニットは、各々本願発明２の感光体、帯電チャージャ、静電潜像、光書込ユニット、現像ユニット、顕像、転写紙、転写ユニット、顕像材、クリーニングユニット、顕像材回収容器、画像出力装置、一体構成体に相当し、
　しかも、引用例における「感光体とクリーニング装置およびトナー蓄溜部を一体的に構成してユニットとすると共に、・・中略・・しかも、感光体とトナー蓄溜部との間を記録紙を搬送するように構成し」の構成は、「少なくとも感光体とトナー蓄溜部を一体的に構成してユニットとし、しかも、感光体とトナー蓄溜部との間を記録紙を搬送するように構成し」の事項を包含するものであり、
　この事項は、本願発明２の構成である「少なくとも感光体と顕像材を回収する容器とが一体的に構成され、しかも、感光体と回収容器との間を転写紙を搬送するように構成し」に相当する構成として理解される。
　してみると、両者は表現は相違するが、
「感光体と、該感光体の表面を帯電する帯電チャージャと、該帯電チャージャにより帯電された前記感光体の表面に静電潜像を形成するための光書込ユニットと、該静電潜像を現像して顕像化する現像ユニットと、現像された前記感光体の表面の顕像を転写紙に転写するための転写ユニットと、転写後に感光体の表面に残留する顕像材を除去するためのクリーニングユニットと、該クリーニングユニットで回収される顕像材を収納する顕像材回収容器から成る画像出力装置において、少なくとも前記感光体と該顕像材を回収する容器とが一体的に構成され、しかも、感光体と回収容器との間を転写紙を搬送するように構成し、この一体構成体を装置に対して着脱可能に構成した画像出力装置」の点で一致しており、以下の点で相違が認められる。
（相違点）
　本願発明２は「顕像材回収容器は、その体積が回収される顕像材が満杯になる時期が感光体の寿命と略等しく設定され、」を構成としているのに対し、引用例には、顕像材回収容器に相当するトナー蓄溜部の体積について明示されていない点。
　そこで、上記相違点について検討するに、
　感光体とクリーニング装置を一体化して装置本体に対して着脱可能とした電子写真装置において、クリーニング装置の廃トナー容器の容量として、廃トナーで満杯となる期間が像担持体の寿命期間と同等以上となるように設定することは、例えば、実願昭６０−１１９５２５号（実開昭６２−２７３４９号）のマイクロフィルムに、感光体ドラムや感光体ドラム上に残留したトナーを除去するクリーニング装置等を一体的にユニット化した画像形成ユニットを用いる画像形成装置において、クリーニング装置の廃トナー容器の容量を、感光ドラムの寿命に対応させて予め設定し、コピーキットの交換の際一緒に廃トナーも廃棄する旨の事項が、また、特開昭２−２０１４５５号公報に、転写部や現像ユニット等が保持された本体に、像担持体が回転自在に保持された支持体を着脱自在に装着し、廃トナーで満杯となる期間が前記像担持体の寿命期間と同等以上となる収容容量をもつ廃トナー収容部を有するクリーニング装置を前記支持体に設ける旨の事項が記載されているように周知技術であり、
　引用例に上記電子写真装置に関する周知技術を適用して上記相違点の構成を想到することに何等困難性は認められない。
　また、本願発明２の奏する作用効果として、上記引用例及び周知手段から予測される以上のものは認められない。
　
４．むすび
  以上のとおりであるから、本願発明１乃至本願発明２は上記引用例及び周知技術に基づいて当業者が容易に発明をすることができたものと認められるから、特許法第２９条第２項の規定により特許を受けることができない。
　よって、結論のとおり審決する